(57)【要約】【課題】車室内の乗員Ｄｒに温風を提供することのできる車両用除加湿装置を提供する。【解決手段】ペルチェ素子３０の放熱側となる両吸着素子３１Ａ、３１Ｂのいずれか一方を、放熱部として保持するとともに、その放熱側とした吸着素子３１Ｂで加熱された温風が加湿風吹出口８に分配される流路切替位置で流路切替ドア６を保持して、加湿風吹出口８からの温風を車室内の乗員Ｄｒ周りに吹き出すヒータモードを備えている。  これによれば、ペルチェ素子３０の放熱側の熱を利用して、例えば車両を冷間始動した後の暖機状態において、水冷式エンジンの冷却水水温が上がってヒータコアから温風を出せるようになるまでの間にも、車室内の乗員Ｄｒに温風を提供することができる。【選択図】図１
2009274587.tif 000002
【特許請求の範囲】
【請求項１】
空気を取り込んで除湿された空気と加湿された空気とにして吹き出す車両用除加湿装置であり、
空気流通路としてのケーシング（１）には、送風手段（２）、吸着材モジュール（３）および流路切替部（４）が空気の流れ方向に沿って順に配設され、前記ケーシング（１）の最下流部には、加湿風を吹き出す加湿風吹出口（８）と、除湿風を吹き出す除湿風吹出口（９）とが設けられ、
前記吸着材モジュール（３）は、吸熱部および放熱部としてそれぞれ機能する一対の板面（３０ａ、３０ｂ）を備えたペルチェ素子（３０）と、通気可能なフィン（３３）の表面に吸着材を把持させて前記板面（３０ａ、３０ｂ）のそれぞれに配置された第１の吸着素子（３１Ａ）および第２の吸着素子（３１Ｂ）とを備え、前記送風手段（２）によって送気される空気が前記各吸着素子（３１Ａ、３１Ｂ）を通過可能に前記ケーシング（１）内に配置され、
前記流路切替部（４）は、前記加湿風吹出口（８）および前記除湿風吹出口（９）に対し、前記第１の吸着素子（３１Ａ）を通過した空気と前記第２の吸着素子（３１Ｂ）を通過した空気とを別々に分配可能で、かつ分配先を流路切替ドア（６）によって切り替え可能に構成され、
前記ペルチェ素子（３０）に流れる電流を逆転させて前記ペルチェ素子（３０）の吸熱部と放熱部とを入れ替えるとともに、前記流路切替部（４）は前記電流の逆転に応じて前記流路切替ドア（６）によって各空気の分配先を切り替えるように構成されている車両用除加湿装置において、
前記両吸着素子（３１Ａ、３１Ｂ）のいずれか一方を、前記ペルチェ素子（３０）の放熱側として保持するとともに、その放熱側とした前記吸着素子（３１Ｂ）で加熱された温風が前記加湿風吹出口（８）に分配される流路切替位置で前記流路切替ドア（６）を保持して、前記加湿風吹出口（８）からの温風を車室内の乗員（Ｄｒ）周りに吹き出すヒータモードを備えていることを特徴とする車両用除加湿装置。
【請求項２】
前記加湿風吹出口（８）から加湿風を前記乗員（Ｄｒ）周りに吹き出す加湿モードと、前記加湿風吹出口（８）から温風を前記乗員（Ｄｒ）周りに吹き出すヒータモードとのいずれかを、前記乗員（Ｄｒ）が選択できる選択手段（Ｓｗ）を備えていることを特徴とする請求項１に記載の車両用除加湿装置。
【請求項３】
前記吸着材モジュール（３）の一方の前記吸着素子（３１Ｂ）に補助加熱手段（４１）を熱的に接続していることを特徴とする請求項１または２に記載の車両用除加湿装置。
【請求項４】
前記流路切替部（４）の空気流れ下流側で、前記加湿風吹出口（８）に連通する加湿風流通路（８０）に補助加熱モジュール（４０）を備えていることを特徴とする請求項１ないし３のいずれかに記載の車両用除加湿装置。
【請求項５】
ヒータモード時に放熱側とする前記吸着素子（３１Ｂ）の前記フィン（３３）部、もしくは前記補助加熱モジュール（４０）で通過する空気と熱交換するフィン（４２）部に、前記フィン（３３、４２）部の温度を検出するフィン温度検出手段（３４）を備え、前記ヒータモードで運転する場合、前記フィン温度検出手段（３４）で検出される前記フィン（３３、４２）部の温度が所定温度以上となったときに前記送風手段（２）の運転を開始することを特徴とする請求項１ないし４のいずれかに記載の車両用除加湿装置。
【請求項６】
前記ヒータモードで運転する場合、前記吸着材モジュール（３）の他方の前記吸着素子（３１Ａ）で冷却されて前記除湿風吹出口（９）から吹き出される冷風は、天井（５０）内に配設された送風ダクト（７２）を通って車両の前面窓ガラス（５１）の内面に向けて吹き出されることを特徴とする請求項１ないし５のいずれかに記載の車両用除加湿装置。
【請求項７】
除加湿する空気は、車室内の空気であることを特徴とする請求項１ないし６のいずれかに記載の車両用除加湿装置。
【発明の詳細な説明】
【技術分野】
【０００１】
本発明は、車室内空気を取り込んで除湿された空気と加湿された空気とを吹き出す車両用除加湿装置に関するものである。
【背景技術】
【０００２】
車室内の空調技術の１つとして、車室内をより快適にし、かつ省エネルギー化を図るため、吸着材の水蒸気脱着機能を利用した除湿／加湿技術が種々検討されている。かかる技術として、例えば、下記の特許文献１には、冬季において車室内の空気を循環させつつ、窓ガラスの防曇用として車室外の乾燥した外気を導入して窓ガラスに吹き付けるにあたり、車室内から車室外へ排出される一部の空気中の水分を活性炭、ゼオライトなどの吸着材によって捕捉し、捕捉した水分を車室内に戻すことにより、車室内の乾燥を防ぐようにした「車室内の空調方法」が提案されている。
【０００３】
上記の空調方法においては、通気可能な円柱状のハニカム構造体から成る、いわゆる吸着ローターに吸着材を担持させ、吸着ローターを一定速度で回転させながら、吸着ローターの一部が所定の吸着領域（車室内空気の排出流路）を通過する際に水分を吸着し、所定の脱離領域（車室内空気の循環流路）を通過する際に電熱ヒータで加熱された空気によって吸着材を加熱し、吸着材の水分を脱離させるようになっている。
【０００４】
また、除湿と加湿とを行う他の従来技術として、例えば、下記の特許文献２に示される「空気調和装置」がある。これは、例えば夏季において、冷房用の空調機（クーラー）の省エネルギー化を図り、かつ除湿された快適な空気を人の居る側へ供給するため、仕切り板によって２系列の送風路に仕切られ、かつそれぞれの両端を吸気口と排気口とされた空気流路に対し、熱交換部および吸湿部材（吸着ローター）を２つの送風路に跨るように順次に配置して成っている。
【０００５】
この空気調和装置においては、熱交換部で一方の送風路を通過する空気を冷却し、他方の送風路を通過する空気を加熱するとともに、吸湿部材を２つの送風路の間で回動または揺動させて吸着と脱離操作とを繰り返す。そして、一方の送風路を通じて除湿された空気を室内に連続供給し、他方の送風路を通じて加湿された空気を室外に連続排出する。
【０００６】
また、熱交換部は、ペルチェ素子の吸熱部と放熱部にそれぞれ熱伝導部を配置して構成されており、一方の送風路の空気をペルチェ素子の吸熱部側の熱伝導部によって冷却し、他方の送風路の空気をペルチェ素子の放熱部側の熱伝導部によって加熱することにより、吸湿部材に対し、吸着促進のための冷熱と脱離に必要な温熱とを供給している。
【特許文献１】特開２０００−１４２０９６号公報
【特許文献２】特開２０００−１４６２２０号公報
【発明の開示】
【発明が解決しようとする課題】
【０００７】
しかしながら、上記の空調方法および空調装置では、電熱ヒータおよびペルチェ素子の放熱部側の熱を用いて空気を加熱しているが、あくまで吸着部材が吸着した水分を脱離させるための加熱であり、車室内の乗員に温風を提供するものではない。
【０００８】
本発明は、このような従来技術に着目して成されたものであり、その目的は、例えば車両を冷間始動した後の暖機状態において、車室内の乗員に温風を提供することのできる車両用除加湿装置を提供することにある。
【課題を解決するための手段】
【０００９】
本発明は上記目的を達成するために、下記の技術的手段を採用する。すなわち、請求項１に記載の発明では、空気を取り込んで除湿された空気と加湿された空気とにして吹き出す車両用除加湿装置であり、空気流通路としてのケーシング（１）には、送風手段（２）、吸着材モジュール（３）および流路切替部（４）が空気の流れ方向に沿って順に配設され、ケーシング（１）の最下流部には、加湿風を吹き出す加湿風吹出口（８）と、除湿風を吹き出す除湿風吹出口（９）とが設けられ、吸着材モジュール（３）は、吸熱部および放熱部としてそれぞれ機能する一対の板面（３０ａ、３０ｂ）を備えたペルチェ素子（３０）と、通気可能なフィン（３３）の表面に吸着材を把持させて板面（３０ａ、３０ｂ）のそれぞれに配置された第１の吸着素子（３１Ａ）および第２の吸着素子（３１Ｂ）とを備え、送風手段（２）によって送気される空気が各吸着素子（３１Ａ、３１Ｂ）を通過可能にケーシング（１）内に配置され、流路切替部（４）は、加湿風吹出口（８）および除湿風吹出口（９）に対し、第１の吸着素子（３１Ａ）を通過した空気と第２の吸着素子（３１Ｂ）を通過した空気とを別々に分配可能で、かつ分配先を流路切替ドア（６）によって切り替え可能に構成され、ペルチェ素子（３０）に流れる電流を逆転させてペルチェ素子（３０）の吸熱部と放熱部とを入れ替えるとともに、流路切替部（４）は電流の逆転に応じて流路切替ドア（６）によって各空気の分配先を切り替えるように構成されている車両用除加湿装置において、
両吸着素子（３１Ａ、３１Ｂ）のいずれか一方を、ペルチェ素子（３０）の放熱側として保持するとともに、その放熱側とした吸着素子（３１Ｂ）で加熱された温風が加湿風吹出口（８）に分配される流路切替位置で流路切替ドア（６）を保持して、加湿風吹出口（８）からの温風を車室内の乗員（Ｄｒ）周りに吹き出すヒータモードを備えていることを特徴としている。
【００１０】
この請求項１に記載の発明によれば、ペルチェ素子（３０）の放熱側の熱を利用して、例えば車両を冷間始動した後の暖機状態において、水冷式エンジンの冷却水水温が上がってヒータコアから温風を出せるようになるまでの間にも、車室内の乗員（Ｄｒ）に温風を提供することができる。
【００１１】
また、請求項２に記載の発明では、請求項１に記載の車両用除加湿装置において、加湿風吹出口（８）から加湿風を乗員（Ｄｒ）周りに吹き出す加湿モードと、加湿風吹出口（８）から温風を乗員（Ｄｒ）周りに吹き出すヒータモードとのいずれかを、乗員（Ｄｒ）が選択できる選択手段（Ｓｗ）を備えていることを特徴としている。この請求項２に記載の発明によれば、乗員（Ｄｒ）の操作によって加湿モードとヒータモードとを選択切り替えすることができる。
【００１２】
また、請求項３に記載の発明では、請求項１または２に記載の車両用除加湿装置において、吸着材モジュール（３）の一方の吸着素子（３１Ｂ）に補助加熱手段（４１）を熱的に接続していることを特徴としている。この請求項３に記載の発明によれば、補助加熱手段（４１）を設けることで、加熱能力を向上させることができる。また、１つの吸着素子（３１Ｂ）のフィン（３３）に、ペルチェ素子（３０）と補助加熱手段（４１）とで効率良く熱を加えることができることから全体を無駄なく構成することができる。
【００１３】
また、請求項４に記載の発明では、請求項１ないし３のいずれかに記載の車両用除加湿装置において、流路切替部（４）の空気流れ下流側で、加湿風吹出口（８）に連通する加湿風流通路（８０）に補助加熱モジュール（４０）を備えていることを特徴としている。この請求項４に記載の発明によれば、補助加熱は加湿風吹出口（８）手前の加湿風流通路（８０）内で行っても良く、これによっても加熱能力を向上させることができる。
【００１４】
また、請求項５に記載の発明では、請求項１ないし４のいずれかに記載の車両用除加湿装置において、ヒータモード時に放熱側とする吸着素子（３１Ｂ）のフィン（３３）部、もしくは補助加熱モジュール（４０）で通過する空気と熱交換するフィン（４２）部に、フィン（３３、４２）部の温度を検出するフィン温度検出手段（３４）を備え、ヒータモードで運転する場合、フィン温度検出手段（３４）で検出されるフィン（３３、４２）部の温度が所定温度以上となったときに送風手段（２）の運転を開始することを特徴としている。
【００１５】
この請求項５に記載の発明によれば、乗員（Ｄｒ）に冷風を吹き出すことを防止することができる。
【００１６】
また、請求項６に記載の発明では、請求項１ないし５のいずれかに記載の車両用除加湿装置において、ヒータモードで運転する場合、吸着材モジュール（３）の他方の吸着素子（３１Ａ）で冷却されて除湿風吹出口（９）から吹き出される冷風は、天井（５０）内に配設された送風ダクト（７２）を通って車両の前面窓ガラス（５１）の内面に向けて吹き出されることを特徴としている。
【００１７】
この請求項６に記載の発明によれば、ヒータモードで運転する場合であっても、吸着素子（３１Ａ）に担持させた吸着材が水蒸気を吸着しきるまでは除湿した冷風となるため、例えば車両を冷間始動した後の暖機状態においては、前面窓ガラス（５１）の防曇に利用することができる。また、車両用空調装置からのデフロスタ風は、前面窓ガラス（５１）の下方から吹き出されるのに対して、本車両用除加湿装置からの除湿風は前面窓ガラス（５１）の上方から吹き出されることより、前面窓ガラス（５１）の曇りを効率良く晴らすことができる。
【００１８】
また、送風ダクト（７２）を介して前面窓ガラス（５１）の内面に向けて吹き出す構成とすることにより、除湿風の吹出端（７２ａ、７２ｂ）を適切な位置に構成することができる。さらに、送風ダクト（７２）を介することで除湿風の送風音（直達音）を低減することができる。
【００１９】
また、請求項７に記載の発明では、請求項１ないし６のいずれかに記載の車両用除加湿装置において、除加湿する空気は、車室内の空気であることを特徴としている。この請求項７に記載の発明によれば、車室内の空気を取り込んで、除湿された空気と加湿された空気とにして吹き出すことにより、簡素で小型な構成にて効率良く除加湿空気を生成することができる。なお、特許請求の範囲および上記各手段に記載の括弧内の符号は、後述する実施形態に記載の具体的手段との対応関係を示す一例である。
【発明を実施するための最良の形態】
【００２０】
（第１実施形態）
以下、本発明の第１実施形態について、図１〜９を用いて詳細に説明する。図１は、本発明の第１実施形態における除加湿装置１００の構造概要と、ヒータモードでの状態とを示し、（ａ）は平面図、（ｂ）は除加湿装置１００を車両の天井５０内に配設した状態での側面断面図である。本実施形態は、除加湿装置１００を車両の天井５０内に搭載し、車室内空気を取り込んで除湿空気と加湿空気、および冷風と温風を吹き出すようにしたものである。
【００２１】
まず、除加湿装置１００の構造について詳細に説明する。除加湿装置１００は、図１（ａ）および（ｂ）に示すように、空気が流通する流路として樹脂で成形したケーシング１の一端に、送風機（送風手段）２を接続して構成している。送風機２は、樹脂で成形した扁平なスクロールケーシング２０と、その内部に配設された遠心多翼式のファン（シロッコファン）２１と、そのファン２１を駆動する送風モータ２２とを備えている。そして、スクロールケーシング２０の下方に開設された吸込口２３から車室内空気を吸い込み、吹出口２４から吹き出すようになっている。
【００２２】
送風機２の吹出口２４は、ケーシング１の吸込口１０に接続され、吸い込んだ車室内空気をケーシング１内に供給する。ケーシング１内には、吸着材モジュール３および流路切替部４が、空気の流れ方向に沿って順次配設されている。ケーシング１は、設置場所に応じて各種の形状に設計できるが、上記のように、天井５０内に設置するため、高さに相当する厚さ部分が薄く設計された扁平な略直方体の箱状に形成されている。なお、ケーシング１の厚さ方向、長さ方向、幅方向の外郭形状は、天井５０の形状に応じて、曲線状に形成されても良い。
【００２３】
ケーシング１の空気流れ下流端には、加湿風を吹き出す加湿風吹出口８と、除湿風を吹き出す除湿風吹出口９とが、幅方向に並べて設けられている。これらの加湿風吹出口８と除湿風吹出口９とは、ケーシング１に一体成形した仕切り壁１１によって区画形成されており、本実施形態では除湿風吹出口９に対して加湿風吹出口８を小さく形成している。なお、これら吹出口８、９は、圧力損失を低減するため、曲線で構成される断面形状を備えていても良い。
【００２４】
次に、本実施形態の吸着材モジュール３について、図２を用いて説明する。図２は、図１中の吸着材モジュール３の一例を示す斜視図である。吸着材モジュール３は、駆動機構を必要とせず、かつ熱効率の高いものを使用している。すなわち、吸着材モジュール３は、図２に示すように、吸熱部および放熱部としてそれぞれ機能する一対の板面３０ａ、３０ｂを備えたペルチェ素子３０と、通気可能なフィン３３に吸着材を把持させて成り、かつペルチェ素子３０の各板面３０ａ、３０ｂにそれぞれ直接配置された第１の吸着素子３１Ａおよび第２の吸着素子３１Ｂとから構成される。
【００２５】
また、本実施形態の吸着材モジュール３は、後述の補助ヒータ（補助加熱手段）４１とフィン温度センサ（フィン温度検出手段）３４（図１（ｂ）参照）とを備えている。まず、ペルチェ素子３０は、周知の通り、ペルチェ効果を利用した素子であり、コンピュータなどの電子機器の冷却装置として使用される電子部品である。
【００２６】
すなわち、ペルチェ素子は、２種の金属板の間にＰ型半導体とＮ型半導体とを多数配置するとともに、一方の金属板によってＮ−Ｐ接合を構成し、かつ他方の金属板によってＰ−Ｎ接合を構成した素子である。かかる素子においては、ＰＮ接合部分に電流を流すことにより熱移動が起こり、一方の金属板で吸熱現象が生じ、他方の金属板で放熱現象が生じる。
【００２７】
吸着素子３１Ａ、３１Ｂは、アルミニウムなど、熱伝導率の良い金属で形成され、ペルチェ素子３０の各板面３０ａ、３０ｂに接触する基板３２上に、通風方向に沿って多数枚のフィン３３を立設したものである。吸着素子３１Ａ、３１Ｂは、各々、通気可能なフィン３３に吸着材を把持させて構成され、上記の薄型のケーシング１に収容するため、通常は外形形状を扁平な箱状に形成される。
【００２８】
フィン３３としては、小型化を図ることができ、しかも、大きな吸着面積を確保でき、かつ一層多量の粉体状の吸着材を保持し得る限り、各種の構造のものを使用できる。かかるフィンの構造としては、例えば、波板状の基材シートによって通気セルの開口形状が略三角形に形成されたコルゲート型、通気セルの開口形状が略六角形に形成されたハニカム型、通気セルの開口形状が四角形に形成された格子型などの構造であっても良い。
【００２９】
本実施形態において、特性を満足する吸着材としては、低い湿度で水蒸気を容易に吸着し、かつ低い温度で容易に脱離し得るゼオライトが好ましい。そして、吸着材モジュール３において吸着素子３１Ａ、３１Ｂは、ペルチェ素子３０の各板面３０ａ、３０ｂに対し、空気層や他の断熱要素が介在することなく、ペルチェ素子３０で生成された温熱および冷熱が熱伝導によって伝わるように配置されていれば良く、銀ペ一ストや伝熱グリスなどの熱伝導材料を介して配置されても良い。
【００３０】
また、一方の吸着素子３１Ｂにおいて、基板３２と対向するフィン３３の先端側には、ＰＴＣヒータやニクロムヒータなどの電気ヒータによる平板状の補助ヒータ４１が、フィン３３と熱的に接続されている。これにより、この補助ヒータ４１に通電すると発熱し、その熱がフィン３３にも熱伝導で伝わり、フィン３３の間を流通する空気を加熱することができる。また、この補助ヒータ４１を設けた吸着素子３１Ｂのフィン３３部分には、フィン３３部分の温度を検出するサーミスタなどのフィン温度センサ３４を設けている。
【００３１】
なお、吸着材モジュール３は、図２に示すように扁平な直方体に形成されても良いし、あるいは、ケーシングの構造に応じて曲面を備えた形状に形成されても良い。吸着材モジュール３は、図１に示すように、送風機２によって送気される空気が各吸着素子３１Ａ、３１Ｂを通過可能にケーシング１内に配置される。本実施形態においては、吸着材モジュール３を小型化するため、各板面３０ａ、３０ｂがそれぞれ吸熱部、放熱部として機能する、例えば平板状のペルチェ素子３０が使用される。
【００３２】
また、上記の各吸着素子３１Ａ、３１Ｂにおいては、各々、通気面積（フィン３３の通気方向に直交する総開口面積）が、吸着材モジュール３の上流側および下流側の流路の最小の断面積（通気方向に直交する開口面積）以上に設定されるのが好ましい。吸着素子３１Ａ、３１Ｂの通気面積を上記のように設定した場合には、各吸着素子３１Ａ、３１Ｂ内において通過する空気の流速を小さくすることができ、吸着および脱離機能を一層高めることができる。
【００３３】
更に、各吸着素子３１Ａ、３１Ｂは、各々、空気の入口および出口の開口面積に対して、内部の通気方向に直交する断面の面積が大きく形成されていても良い。上記のように、吸着素子３１Ａ、３１Ｂの内部の断面積を大きくした場合には、出入口近傍の幅方向側（平面視して左右）の側縁部分における通気時の圧力損失を低減できるため、各吸着素子３１Ａ、３１Ｂにおける吸脱離効率を高めることができる。
【００３４】
本実施形態の除加湿装置１００においては、上記の吸着材モジュール３において、各吸着素子３１Ａ、３１Ｂの吸着操作、脱離操作を、５〜１０分位毎で交互に切り替える。従って、本実施形態においては、加湿された空気を加湿風吹出口８から連続的に吹き出し、除湿された空気を除湿風吹出口９から連続的に吹き出すため、図１に示すように、吸着材モジュール３の下流側に流路切替部４が配置される。
【００３５】
空気の流路を切り替える機構としては、２つの可撓性管路を移動させてその接続先を変更するような機構、リンクなどによって同期作動する２つのシャッターを交互に開閉してその接続先を変更する機構なども使用できる。しかし、装置構成を簡素化し、かつ小型化を図る観点から、図１に一例として示すように、流路切替部４は、アクチュエータ７によって回動する流路切替ドア６により、各空気の振り向け先を切り替えるようになっている。
【００３６】
まず、図１（ｂ）に示すように、流路切替部４は、吸着材モジュール３の直下流側に配設された仕切り板１２により、第１の吸着素子３１Ａを通過した空気が流入する第１流入空間３Ａと、第２の吸着素子３１Ｂを通過した空気が流入する第２流入空間３Ｂとに区画されている。
【００３７】
また、仕切り板１２の下流側は、図１（ａ）に示すように、ケーシング１に一体成形した仕切り壁１１により、加湿風吹出口８に流出する加湿風流通路８０と、除湿風吹出口９に流出する除湿風流通路９０とに区画されており、除湿風流通路９０に対して加湿風流通路８０の通路断面積が小さくなっている。これにより、除湿風吹出口９から吹き出される除湿風の風量に対して、加湿風吹出口８から吹き出される加湿風の風量が少なくなっている。
【００３８】
流路切替ドア６は、仕切り板１２と仕切り壁１１との間に配設され、１本のシャフト（回動軸）６０がケーシング１の全幅を貫いている。具体的に、本実施形態の流路切替部４の構成および作動について、図３〜５も用いて説明する。図３は、図１中の流路切替ドア６の一例を示し、（ａ）は斜視図、（ｂ）は（ａ）中のｂ視図である。
【００３９】
流路切替ドア６は、図３に示すように、シャフト６０に、加湿風流通路８０と第１流入空間３Ａおよび第２流入空間３Ｂの一方とを連通させて他方を閉塞し、この連通／閉塞の状態を逆転しうる加湿側ドア６１ａ、６１ｂと、除湿風流通路９０と第１流入空間３Ａおよび第２流入空間３Ｂの一方とを連通させて他方を閉塞し、この連通／閉塞の状態を逆転しうる除湿側ドア６２ａ、６２ｂとを一体に備えている。
【００４０】
なお、加湿側ドア６１ａ、６１ｂと除湿側ドア６２ａ、６２ｂとのドア面積は、両流通路８０、９０の通路断面積に略比例して、除湿側ドア６２ａ、６２ｂが大きく、加湿側ドア６１ａ、６１ｂが小さくなっている。また、シャフト６０の一端側には、この流路切替ドア６を回動させるためのレバープレート６３が設けられ、このレバープレート６３がケーシング１の外部に出るよう、上下に２分割されたケーシング１で挟持されるように成っている。ケーシング１の外面には、レバープレート６３の端部側と接続され、流路切替ドア６を切替駆動するサーボモータなどのアクチュエータ７が配設されている。
【００４１】
また、本実施形態では、流路切替ドア６の回動範囲（本実施形態では約６０度）を小さくするために、加湿側ドアと除湿側ドアとをそれぞれ２枚ずつ形成しているが、加湿側ドアと除湿側ドアとを対向する位置に１枚ずつ形成し（例えば、図３（ｂ）における６１ａと６２ａ、もしくは、６１ｂと６２ｂ）、それぞれのドアが閉塞する位置が入れ替わるように１８０度回動させる構造としても良い。ドアの回動範囲は大きくなるが、ドアの形状を簡単にすることができる。
【００４２】
図４および図５は、流路切り替えのしくみを説明する図であり、それぞれの（ａ）は図１（ａ）中のａ−ａ断面図、（ｂ）は図１（ａ）中のｂ−ｂ断面図である。そして、図４は第１の流路切替位置の状態を示し、流路切替ドア６を一方側（図４の状態）へ回動することにより、第１流入空間３Ａと除湿風流通路９０とが連通し、第２流入空間３Ｂと加湿風流通路８０とが連通するようになっている。
【００４３】
つまり、図４（ａ）の加湿風吹出口８側では、第２流入空間３Ｂに流出した加湿風がそのまま加湿風吹出口８へ流出するとともに、第１流入空間３Ａに流出した除湿風は、加湿風吹出口８への流路が加湿側ドア６１ｂで閉塞されているため、第１流入空間３Ａ内を紙面手前側へ流れて除湿風流通路９０側へ移動し、そこから除湿風吹出口９へ流出するようになっている。
【００４４】
同様に、図４（ｂ）の除湿風吹出口９側では、第１流入空間３Ａに流出した除湿風がそのまま除湿風吹出口９へ流出するとともに、第２流入空間３Ｂに流出した加湿風は、除湿風吹出口９への流路が除湿側ドア６２ｂで閉塞されているため、第２流入空間３Ｂ内を紙面奥側へ流れて加湿風流通路８０側へ移動し、そこから加湿風吹出口８へ流出するようになっている。
【００４５】
また、図５は第２の流路切替位置の状態を示し、流路切替ドア６を他方側（図５の状態）へ回動することにより、第１流入空間３Ａと加湿風流通路８０とが連通し、第２流入空間３Ｂと除湿風流通路９０とが連通するようになっている。つまり、図５（ａ）の加湿風吹出口８側では、第１流入空間３Ａに流出した加湿風がそのまま加湿風吹出口８へ流出するとともに、第２流入空間３Ｂに流出した除湿風は、加湿風吹出口８への流路が加湿側ドア６１ａで閉塞されているため、第２流入空間３Ｂ内を紙面手前側へ流れて除湿風流通路９０側へ移動し、そこから除湿風吹出口９へ流出するようになっている。
【００４６】
同様に、図５（ｂ）の除湿風吹出口９側では、第２流入空間３Ｂに流出した除湿風がそのまま除湿風吹出口９へ流出するとともに、第１流入空間３Ａに流出した加湿風は、除湿風吹出口９への流路が除湿側ドア６２ａで閉塞されているため、第１流入空間３Ａ内を紙面奥側へ流れて加湿風流通路８０側へ移動し、そこから加湿風吹出口８へ流出するようになっている。
【００４７】
吸着材モジュール３においては、各吸着素子３１Ａ、３１Ｂの吸着／脱離操作に準じた時間間隔、例えば５〜１０分間隔でペルチェ素子３０に流れる電流の方向を逆転させ、ペルチェ素子３０の板面３０ａ、３０ｂにおける吸熱機能と放熱機能とを入れ替えるようになっている。
【００４８】
また、流路切替部４においては、ペルチェ素子３０の電流の逆転に応じて流路切替ドア６が回動され、吸着材モジュール３で処理された各空気の振り向け先が、一方の空気は加湿風吹出口８から除湿風吹出口９へ、他方の空気は除湿風吹出口９から加湿風吹出口８へ切り替えられるようになっている。
【００４９】
この流路切替ドア６の作動するタイミングが、ペルチェ素子３０の電流を逆転させて以降、ペルチェ素子３０の各板面３０ａ、３０ｂの温度が高低逆転するまでの間であり、通常は電流の逆転以降約３０〜６０秒経過するまでの間である。このように、電流逆転後しばらくしてから流路切替ドア６を作動させて振り向け先を切り替えることで、より一層効率的に除湿空気および加湿空気を生成することができる。
【００５０】
なお、図示しないが、本実施形態の除加湿装置１００には、送風機２の制御、吸着材モジュール３におけるペルチェ素子３０の電流の制御、および流路切替部４におけるアクチュエータ７の制御を行うための制御装置が設けられる。そして、本除加湿装置１００は、図１（ｂ）に示すように、車両の天板５０ａと内装材５０ｂとの間の天井５０内に配設されている。除加湿装置１００の加湿風吹出口８と除湿風吹出口９には、樹脂のブロー成形などで形成された送風ダクト７１、７２が接続されている。
【００５１】
図６は、車両用除加湿装置１００の車両への配設状態を示す車両の部分側面断面図であり、図７は、図６の車両の部分平面図である。これらの図６および図７に示すように、除加湿装置１００の加湿風吹出口８と連通した加湿温風ダクト７１は、天井５０の空間内を配策され、その吹出端７１ａが運転席５２に着座した運転者（乗員）Ｄｒに向けられている。
【００５２】
また、除湿風吹出口９と連通した除湿冷風ダクト７２は、天井５０の空間内を配策され、その吹出端７２ａ、７２ｂは二股に分かれており、そのそれぞれが車両のフロントガラス（前面窓ガラス）５１の内面上側の左右部に向けられている。また、本実施形態の除加湿装置１００は、運転モードとして加湿モードと温風モードとを有しており、図６中に示すモードスイッチ（選択手段）Ｓｗを乗員Ｄｒが操作することにより、選択切り替えできるようになっている。
【００５３】
そして、本実施形態の除加湿装置１００は、例えば外気が冷えて乾燥している冬季において、以下のように作動する。まず、加湿モード時の作動について説明する。送風機２は、車室内の空気を吸い込み、これを吸着材モジュール３の第１の吸着素子３１Ａおよび第２の吸着素子３１Ｂにそれぞれ送気する。吸着材モジュール３においては、例えば、ペルチェ素子３０の一方の板面３０ａが吸熱部として機能し、他方の板面３０ｂが放熱部として機能する。
【００５４】
このため、前記の板面３０ａによって第１の吸着素子３１Ａが冷却され、そのフィン３３に把持された吸着材の吸着操作が進行し、フィン３３を通過する空気中の水蒸気を吸着する。一方、第２の吸着素子３１Ｂは、ペルチェ素子３０の板面３０ｂによって加熱され、その第２の吸着素子３１Ｂのフィン３３に把持された吸着材の脱離操作が進行し、フィン３３を通過する空気に水蒸気を放出する。
【００５５】
吸着材モジュール３の第１の吸着素子３１Ａを通過して除湿された空気は第１流入空間３Ａに流出し、第２の吸着素子３１Ｂを通過して加湿された空気は第２流入空間３Ｂに流出し、流路切替ドア６により、加湿された空気は加湿風流通路８０に振り向けられて加湿風吹出口８から吹き出され、除湿された空気は除湿風流通路９０に振り向けられて除湿風吹出口９から吹き出される。
【００５６】
吸着材モジュール３において、吸着操作および脱離操作が所定時間行われると、ペルチェ素子３０に印加される電圧が逆転され、ペルチェ素子３０の吸熱部と放熱部とが入れ替えられる。換言すれば、ペルチェ素子３０の板面３０ａが放熱部として機能し板面３０ｂが吸熱部として機能する。そして、ペルチェ素子３０の各板面３０ａ、３０ｂの機能の入れ替わりにより、各吸着素子３１Ａ、３１Ｂにおいては、各々、吸着材の吸着／脱離操作が反転する。
【００５７】
すなわち、上記の第１の吸着素子３１Ａは、冷却されていたそのフィン３３が加熱されることにより、それまで吸着した水蒸気を脱離する。他方、上記の第２の吸着素子３１Ｂは、加熱されていたそのフィン３３が冷却されることにより、水蒸気の吸着を開始する。その結果、第１の吸着素子３１Ａは、これを通過する空気に水蒸気を放出して加湿し、第２の吸着素子３１Ｂは、これを通過する空気中の水蒸気を吸着して除湿する。これにより、加湿された空気は第１流入空間３Ａに流出し、除湿された空気は第２流入空間３Ｂに流出する。
【００５８】
また、ペルチェ素子３０に印加される電圧が逆転されると、流路切替ドア６が第１の流路切替位置から第２の流路切替位置に回動して流路が切り替えられる。すなわち、流路切替ドア６が、例えば図４に示す状態から図５に示す状態に切り替えられる。このため、吸着材モジュール３の第１の吸着素子３１Ａを通過して加湿された空気は第１流入空間３Ａに流出し、第２の吸着素子３１Ｂを通過して除湿された空気は第２流入空間３Ｂに流出する。
【００５９】
そして、流路切替ドア６により、加湿された空気は加湿風流通路８０に振り向けられて加湿風吹出口８から吹き出され、除湿された空気は、除湿風流通路９０に振り向けられて除湿風吹出口９から吹き出される。本実施形態の除加湿装置１００においては、上記のような吸着材モジュール３で吸着／脱離操作を一定のタイミングで反転させるとともに、これに応じて、除湿された空気と加湿された空気との吹出流路を流路切替ドア６によって切り替える。
【００６０】
これにより、除湿風吹出口９から除湿された空気を連続して吹き出し、加湿風吹出口８から加湿された空気を連続して吹き出すことができる。そして、乗員、特に運転者Ｄｒには、加湿温風ダクト７１から加湿風を供給して快適性を向上させるとともに、車両のフロントガラス５１の内面には、除湿冷風ダクト７２から防曇用の除湿風を供給するようになっている。
【００６１】
上記のように、本実施形態の除加湿装置１００においては、吸着材を把持させた固定方式の一対の吸着素子３１Ａ、３１Ｂをペルチェ素子３０の吸熱部および放熱部として機能する各板面３０ａ、３０ｂにそれぞれ直接配置して吸着材モジュール３が構成される。吸着材モジュール３において、ペルチェ素子３０へ流す電流の逆転によって吸熱部と放熱部を機能的に入れ替え、各吸着素子３１Ａ、３１Ｂに対する冷却と加熱を切り替えて吸着操作と脱離操作を反転させるとともに、流路切替ドア６を使用し、吸着操作と脱離操作の反転に応じて、第１の吸着素子３１Ａを通過した空気と第２の吸着素子３１Ｂを通過した空気の振り向け先を切り替える。
【００６２】
従って、本実施形態の除加湿装置１００においては、従来の吸着ローター方式のような回転駆動部を設ける必要がなく、しかも、ペルチェ素子３０に各吸着素子３１Ａ、３１Ｂが直接配置されており、吸着素子３１Ａ、３１Ｂを加熱／冷却する際のペルチェ素子３０と吸着素子との間の熱伝導性が高いため、吸着素子３１Ａ、３１Ｂおよびペルチェ素子３０を一層小型化できる。その結果、装置構成を簡素化でき、装置全体を一層小型化することができる。なお、図８は、加湿モード時の吹き出し温度の変化を表すグラフである。
【００６３】
次に、ヒータモード時の作動について説明する。図１は、ヒータモード時の状態を示している。加湿モードと異なるのは、ペルチェ素子３０の放熱側、即ち両吸着素子３１Ａ、３１Ｂのいずれか一方（本実施形態では吸着素子３１Ｂ）を放熱部として保持する点にある。なお、ペルチェ素子３０による加熱だけでは熱量が足りない場合は、補助ヒータ４１にも通電して加熱することとなる。
【００６４】
また、流路切替ドア６は、放熱側となる吸着素子３１Ｂで加熱された温風が、加湿風吹出口８に分配される流路切替位置に保持される。そして、フィン温度センサ３４で検出されるフィン３３部の温度が所定温度（例えば、６０〜８０℃）以上となったときに送風機２の運転（送風）を開始するようになっている。
【００６５】
これにより、例えば車両を冷間始動した後の暖機状態において、水冷式エンジンの冷却水水温が低くてヒータコアから温風を出せないときにも、乗員Ｄｒに向けて温風（例えば、２５〜３０℃）を吹き出すことができる。なお、図９は、ヒータモード時の吹き出し温度の変化を表すグラフである。図８の加湿モード時と比べ、安定した温度で温風を供給することができる。また、ペルチェ素子３０および補助ヒータ４１への通電を調節することで、その吹出温度も調節することができる。
【００６６】
次に、本実施形態の特徴と、その効果について述べる。まず、ペルチェ素子３０の放熱側となる両吸着素子３１Ａ、３１Ｂのいずれか一方を、放熱部として保持するとともに、その放熱側とした吸着素子３１Ｂで加熱された温風が加湿風吹出口８に分配される流路切替位置で流路切替ドア６を保持して、加湿風吹出口８からの温風を車室内の乗員Ｄｒ周りに吹き出すヒータモードを備えている。
【００６７】
これによれば、ペルチェ素子３０の放熱側の熱を利用して、例えば車両を冷間始動した後の暖機状態において、水冷式エンジンの冷却水水温が上がってヒータコアから温風を出せるようになるまでの間にも、車室内の乗員Ｄｒに温風を提供することができる。
【００６８】
また、加湿風吹出口８から加湿風を乗員Ｄｒ周りに吹き出す加湿モードと、加湿風吹出口８から温風を乗員Ｄｒ周りに吹き出すヒータモードとのいずれかを、乗員Ｄｒが選択できるモードスイッチＳｗを備えている。これによれば、乗員Ｄｒの操作によって加湿モードとヒータモードとを選択切り替えすることができる。
【００６９】
また、吸着材モジュール３の一方の吸着素子３１Ｂに補助ヒータ４１を熱的に接続している。これによれば、補助ヒータ４１を設けることで、加熱能力を向上させることができる。また、１つの吸着素子３１Ｂのフィン３３に、ペルチェ素子３０と補助ヒータ４１とで効率良く熱を加えることができることから全体を無駄なく構成することができる。
【００７０】
また、ヒータモード時に放熱側とする吸着素子３１Ｂのフィン３３部に、フィン３３部の温度を検出するフィン温度センサ３４を備え、ヒータモードで運転する場合、フィン温度センサ３４で検出されるフィン３３部の温度が所定温度以上となったときに送風機２の運転を開始するようにしている。これによれば、乗員Ｄｒに冷風を吹き出すことを防止することができる。
【００７１】
また、ヒータモードで運転する場合、吸着材モジュール３の他方の吸着素子３１Ａで冷却されて除湿風吹出口９から吹き出される冷風は、天井５０内に配設された除湿冷風ダクト７２を通って車両のフロントガラス５１の内面に向けて吹き出されるようにしている。これによれば、ヒータモードで運転する場合であっても、吸着素子３１Ａに担持させた吸着材が水蒸気を吸着しきるまでは除湿した冷風となるため、例えば車両を冷間始動した後の暖機状態においては、フロントガラス５１の防曇に利用することができる。
【００７２】
また、車両用空調装置からのデフロスタ風は、フロントガラス５１の下方から吹き出されるのに対して、本車両用除加湿装置１００からの除湿風はフロントガラス５１の上方から吹き出されることより、フロントガラス５１の曇りを効率良く晴らすことができる。
【００７３】
また、除湿冷風ダクト７２を介してフロントガラス５１の内面に向けて吹き出す構成とすることにより、除湿風の吹出端７２ａ、７２ｂを適切な位置に構成することができる。さらに、除湿冷風ダクト７２を介することで除湿風の送風音（直達音）を低減することができる。
【００７４】
また、除加湿する空気は、車室内の空気である。これによれば、車室内の空気を取り込んで、除湿された空気と加湿された空気とにして吹き出すことにより、簡素で小型な構成にて効率良く除加湿空気を生成することができる。
【００７５】
（第２実施形態）
次に、本発明の第２実施形態について説明する。図１０は、本発明の第２実施形態における除加湿装置１００Ａの構造概要を示す部分側面断面図である。なお、本実施形態においては、上述した第１実施形態と同一の構成要素には同一の符号を付して説明を省略し、異なる構成および特徴について説明する。本実施形態は、流路切替部４の空気流れ下流側で、加湿風吹出口８に連通する加湿風流通路８０に、補助ヒータモジュール４０を設けるように構成したものである。
【００７６】
図１１は、図１０中の補助ヒータモジュール（補助加熱モジュール）４０の一例を示す斜視図である。補助ヒータモジュール４０は、図１１に示すように、ＰＴＣヒータやニクロムヒータなどの電気ヒータによる平板状の補助ヒータ４１Ａの両面に、フィン部材４２を熱的に接続したものである。
【００７７】
補助ヒータモジュール４０は、加湿風流通路８０の通路断面形状に合わせて、本実施形態では略立方体に構成されており、流通する空気を加熱するようになっている。また、この補助ヒータモジュール４０のフィン部材４２には、フィン部材４２の温度を検出するサーミスタなどのフィン温度センサ３４を設けている。このように、補助加熱は加湿風吹出口８手前の加湿風流通路８０内で行っても良く、これによっても加熱能力を向上させることができる。
【００７８】
（その他の実施形態）
本発明は上述した実施形態にのみ限定されるものではなく、次のように変形または拡張することができる。例えば、ペルチェ素子３０のみでヒータモード時の目標吹出温度が達成できる場合、補助ヒータ４１や補助ヒータモジュール４０などの補助加熱手段は構成しなくとも良い。また、補助加熱手段として、ＰＴＣヒータやニクロムヒータなどに限らずペルチェ素子を追加配置して用いても良い。また、補助ヒータ４１は、天側の吸着素子３１Ａに構成しても良い。また、車室内の温度と湿度とを検出して、所定の条件に従い、加湿モードとヒータモードとが自動で選択切替されるように構成しても良い。
【００７９】
また、上述の実施形態では、ヒータモード時の冷風をフロントガラス５１の内面に向けて吹き出しているが、この冷風が図示しない車両用空調装置での車室内温度の上昇を阻害する場合、除湿風流通路９０から除湿風ダクト７２の吹出端７２ａ、７２ｂまでの間に流路切替手段を設け、その流路切替手段を操作することにより、ヒータモード時の冷風を天井５０内に吹き出すようにして、車両用空調装置での暖房を阻害しないように構成しても良い。
【００８０】
また、本実施形態の除加湿装置１００は、流路切替ドア６の作動設定を切り替えることにより、例えば夏季などで外気が高湿度となる状況においては、加湿風吹出口８から除湿された空気を運転者Ｄｒ側へ吹き出すこともできる。また、車室内の臭気成分を捕捉するため、吸着材モジュール３の上流側または下流側に脱臭用フィルターを配置しても良い。
【図面の簡単な説明】
【００８１】
【図１】本発明の第１実施形態における除加湿装置１００の構造概要と、ヒータモード時の状態とを示し、（ａ）は平面図、（ｂ）は除加湿装置１００を車両の天井５０内に配設した状態での側面断面図である。
【図２】図１中の吸着材モジュール３の一例を示す斜視図である。
【図３】図１中の流路切替ドア６の一例を示し、（ａ）は斜視図、（ｂ）は（ａ）中のｂ視図である。
【図４】流路切り替えのしくみを説明する図であり、第１の流路切替位置の状態を示し、（ａ）は図１中のａ−ａ断面図、（ｂ）は図１中のｂ−ｂ断面図である。
【図５】流路切り替えのしくみを説明する図であり、第２の流路切替位置の状態を示し、（ａ）は図１中のａ−ａ断面図、（ｂ）は図１中のｂ−ｂ断面図である。
【図６】除加湿装置１００の車両への配設状態を示す車両の部分側面断面図である。
【図７】図６の車両の部分平面図である。
【図８】加湿モード時の吹き出し温度の変化を表すグラフである。
【図９】ヒータモード時の吹き出し温度の変化を表すグラフである。
【図１０】本発明の第２実施形態における除加湿装置１００Ａの構造概要を示す部分側面断面図である。
【図１１】図１０中の補助ヒータモジュール４０の一例を示す斜視図である。
【符号の説明】
【００８２】
１…ケーシング
２…送風機（送風手段）
３…吸着材モジュール
４…流路切替部
６…流路切替ドア
８…加湿風吹出口
９…除湿風吹出口
３０…ペルチェ素子
３０ａ、３０ｂ…板面
３１Ａ…第１の吸着素子
３１Ｂ…第２の吸着素子
３３…フィン
３４…フィン温度センサ（フィン温度検出手段）
４１…補助ヒータ（補助加熱手段）
４０…補助ヒータモジュール（補助加熱モジュール）
４２…フィン部材（フィン）
５０…天井
５１…フロントガラス（前面窓ガラス）
７２…除湿冷風ダクト（送風ダクト）
８０…加湿風流通路
Ｄｒ…運転者（乗員）
Ｓｗ…モードスイッチ（選択手段）
【図１】
2009274587.tif 000003
【図２】
2009274587.tif 000004
【図３】
2009274587.tif 000005
【図４】
2009274587.tif 000006
【図５】
2009274587.tif 000007
【図６】
2009274587.tif 000008
【図７】
2009274587.tif 000009
【図８】
2009274587.tif 000010
【図９】
2009274587.tif 000011
【図１０】
2009274587.tif 000012
【図１１】
2009274587.tif 000013